(57)【要約】      （修正有）【課題】設置作業の労力を軽減し、さまざまな情報を表示することが可能な看板装置を提供する。【解決手段】ＬＥＤ基板と、ＬＥＤ基板の主面に設けられた複数のＬＥＤ素子と、ＬＥＤ素子を有する複数の画素２５と、複数の画素２５で構成され、映像を表示する表示部と、を有するＬＥＤディスプレイ装置２００と、ＬＥＤディスプレイ装置２００を保持する保持部材５と、を備え、保持部材５は、ＬＥＤディスプレイ装置２００を保持する保持部５ａを備え、保持部５ａは、ＬＥＤディスプレイ装置２００の周縁部を取り囲むように構成されている。【選択図】図１
0003210219.tif 000002
【実用新案登録請求の範囲】
【請求項１】
ＬＥＤ基板と、
前記ＬＥＤ基板の主面に設けられた複数のＬＥＤ素子と、
前記ＬＥＤ素子を有する複数の画素と、
前記複数の画素で構成され、映像を表示する表示部と、
を有するＬＥＤディスプレイ装置と、
前記ＬＥＤディスプレイ装置を保持する保持部材と、
を備えた、
看板装置。
【請求項２】
請求項１に記載の看板装置において、
前記ＬＥＤ基板が透明な材料で構成されている、
看板装置。
【請求項３】
請求項２に記載の看板装置において、
前記ＬＥＤディスプレイ装置は、平面視において前記ＬＥＤ素子と重なる領域に開口部が形成された遮光層を備えている、
看板装置。
【請求項４】
請求項２に記載の看板装置において、
前記ＬＥＤディスプレイ装置は、平面視において前記ＬＥＤ素子と重なる領域に開口部が形成された遮光層を備え、
前記ＬＥＤ基板が可撓性を有する材料で構成され、前記遮光層が柔軟性を有する材料で構成されている、
看板装置。
【請求項５】
請求項４に記載の看板装置において、
前記遮光層がシリコーンを主原料として構成されている、
看板装置。
【請求項６】
請求項３に記載の看板装置において、
前記遮光層の前記開口部には、透明な開口部充填層が設けられている、
看板装置。
【請求項７】
請求項１に記載の看板装置において、
前記保持部材は、前記ＬＥＤディスプレイ装置を保持する保持部を備え、
前記保持部は、前記ＬＥＤディスプレイ装置の周縁部を取り囲むように構成されている、
看板装置。
【請求項８】
請求項１に記載の看板装置において、
前記保持部材は、アルミニウムを主原料として構成されている、
看板装置。
【請求項９】
請求項１に記載の看板装置において、
前記ＬＥＤディスプレイ装置は、
前記ＬＥＤ基板に設けられ、それぞれの前記ＬＥＤ素子と接続されたデータ線及び電源線が配置されたコネクタと、
前記コネクタと対応するソケットと、前記ソケット及び前記コネクタを介して前記データ線及び前記電源線に所定の信号を出力する制御部と、を有する制御基板と、
を備えている、
看板装置。
【請求項１０】
請求項９に記載の看板装置において、
前記コネクタは、前記ＬＥＤ基板の前記主面に沿って前記ＬＥＤ基板から突出している、
看板装置。
【請求項１１】
請求項９に記載の看板装置において、
前記ＬＥＤ基板は、複数の前記コネクタを有し、
前記制御基板は、前記複数のコネクタのそれぞれと対応する複数の前記ソケットを備えている、
看板装置。
【請求項１２】
請求項１１に記載の看板装置において、
前記ＬＥＤ基板は、平面視において矩形状に構成され、
複数の前記コネクタは、前記ＬＥＤ基板の一辺に沿って設けられ、
前記制御基板は、前記ＬＥＤ基板の前記一辺に沿って延在し、前記複数のコネクタのそれぞれと対応する前記複数のソケットを備えている、
看板装置。
【請求項１３】
請求項９に記載の看板装置において、
前記コネクタは、前記ＬＥＤ基板と一体で構成されている、
看板装置。
【請求項１４】
請求項１に記載の看板装置において、
それぞれの前記画素は、異なる色を発する複数の前記ＬＥＤ素子で構成されている、
看板装置。
【請求項１５】
請求項１に記載の看板装置において、
前記ＬＥＤディスプレイ装置と接続されたデータ送受信部を備え、
前記ＬＥＤディスプレイ装置は、前記データ送受信部を介してネットワークと接続されている、
看板装置。
【考案の詳細な説明】
【技術分野】
【０００１】
本考案は、看板装置に関する。
【背景技術】
【０００２】
多くの建造物の壁面には、施設名や店舗名等の情報を表示する看板が設置されている。また、このような看板には、例えば、複数の看板を組み合わせて、より大きな看板が構成されている場合もある。これら看板の情報を基に、現在地や目的地の所在等が認識される。
【０００３】
例えば、特許文献１には、広告表示板に剛性を付与しつつ、熱応力による樹脂製の表示板部の割れを防止できる看板の構造が開示されている。
【０００４】
具体的には、看板の構造は、建物壁部に固定される一対の平行な上下ベース枠と、上下ベース枠に渡って取り付けられる照明装置と、照明装置を覆い、上ベース枠に支持されて開閉自在とされ、閉止状態で下ベース枠に掛止される広告表示板と、広告表示板を構成し上下に水平板部を備える樹脂製の表示板部と、広告表示板を構成し、表示板部の上下水平板部のそれぞれに横方向に延在して固定手段にて固定される上下一対のアルミ製の上下フレームと、上フレーム及び下フレームの長手方向における少なくとも１箇所が分断され間隙形成部を形成し、間隙形成部における上フレーム及び下フレームの筒状部の内側でフレーム延在方向に沿って互いに摺動自在となって嵌合する連結コア部材と、を具備している。
【０００５】
また、特許文献２には、分割表示面に表示する図画情報の一部が死角に入り込んで見えなくなることを可及的に防止し得、通行者に可及的に綺麗に視認させ得る立体看板が開示されている。
【０００６】
具体的には、立体看板は、道路の側方に設置されて、往来を一方から他方に向けて通行する通行者に文字や絵柄等で描かれた図画情報を視認させる。また、立体看板は短冊状に分割形成された複数の分割看板からなり、各分割看板は、その図画情報の表示面が道路の一方側に臨まされて通行者の動線と交差するように配向されるとともに、順次に道路に沿って並設配置され、かつ分割看板は、それらの設置位置より所定距離手前の基準視認点の位置から見たときに、基準視認点と各分割看板の動線に近接する側の側端縁とを結ぶ線分の延長線上に、各分割看板の流動線から離間する側の側端縁が位置されて順次にその配置間隔が大きくされている。
【先行技術文献】
【特許文献】
【０００７】
【特許文献１】特開２０１６−３８４６４号公報
【特許文献２】特開２０１０−１５６７９５号公報
【考案の概要】
【考案が解決しようとする課題】
【０００８】
しかしながら、これらの看板は、遠方からの視認性を確保するために大きく構成されており、重量も大きい。このため、看板の設置作業には多大な労力を要する。また、これらの看板が設置された後、看板の表示を自在に変更することは困難である。
【０００９】
そこで、本考案は、設置作業の労力を軽減し、さまざまな情報を表示することが可能な看板装置を提供することを目的とする。
【課題を解決するための手段】
【００１０】
本願において開示される考案のうち、代表的なものの概要を簡単に説明すれば、以下のとおりである。
【００１１】
本考案の代表的な実施の形態による看板装置は、ＬＥＤ基板と、ＬＥＤ基板の主面に設けられた複数のＬＥＤ素子と、ＬＥＤ素子を有する複数の画素と、複数の画素で構成され、映像を表示する表示部と、を有するＬＥＤディスプレイ装置と、ＬＥＤディスプレイ装置を保持する保持部材と、を備えている。
【考案の効果】
【００１２】
本願において開示される考案のうち、代表的なものによって得られる効果を簡単に説明すれば以下のとおりである。すなわち、本考案の代表的な実施の形態によれば、設置作業の労力を軽減し、さまざまな情報を表示することが可能である。
【図面の簡単な説明】
【００１３】
【図１】本考案の実施の形態１に係る看板装置の構成の一例を示す図である。
【図２】本考案の実施の形態１に係る保持部材の構成の例を示す図である。
【図３】本考案の実施の形態１に係るＬＥＤディスプレイ装置の構成の一例を示す平面図である。
【図４】本考案の実施の形態１に係るＬＥＤディスプレイ装置の表示部の構成の一例を拡大して示す平面図である。
【図５】本考案の実施の形態１に係るＬＥＤディスプレイ装置の表示部の構成の一例を拡大して示す断面図である。
【図６】本考案の実施の形態１に係るＬＥＤディスプレイ装置のコネクタの構成の一例を示す拡大図である。
【図７】本考案の実施の形態１に係るＬＥＤディスプレイ装置の制御基板の構成の一例を示す図である。
【図８】本考案の実施の形態１に係る看板装置の使用方法の例を示す図である。
【図９】本考案の実施の形態２に係る看板装置の構成の一例を示す図である。
【図１０】本考案の実施の形態３に係る複数の看板装置の設置方法の例を示す図である。
【考案を実施するための形態】
【００１４】
以下、本考案の実施の形態を図面に基づいて詳細に説明する。なお、実施の形態を説明するための全ての図において、同一部には原則として同一の符号を付し、その繰り返しの説明は省略する。
【００１５】
（実施の形態１）
＜看板装置の構成＞
図１は、本考案の実施の形態１に係る看板装置の構成の一例を示す図である。図１（Ａ）は、看板装置１の平面図である。図１（Ｂ）は、看板装置１の断面図である。図１（Ｃ）は、看板装置１の断面構造を分解して示す図である。
【００１６】
看板装置１は、図１（Ａ）〜（Ｃ）に示すように、ＬＥＤディスプレイ装置２００、保持部材５等を備えている。看板装置１は、平面視において、例えば、図１（Ａ）に示すような横長の長方形、縦長の長方形、円形や楕円形等の任意の形状に構成されている。
【００１７】
看板装置１は、図１（Ｂ）に示すように、保持部材５がＬＥＤディスプレイ装置２００を保持するよう構成されている。例えば、保持部材５は、ＬＥＤディスプレイ装置２００を保持する保持部５ａ及び保持部材本体５ｂを有している。
【００１８】
保持部５ａは、図１（Ａ）に示すように、例えば、ＬＥＤディスプレイ装置２００の周縁部を取り囲むように構成されている。保持部５ａは、図１（Ｂ）に示すように、ＬＥＤディスプレイ装置２００の周縁部を挟み込むことにより、ＬＥＤディスプレイ装置２００を保持する。
【００１９】
看板装置１は、図１（Ｂ）に示すように、例えば、看板固定部材６により、建造物１０００の壁部１０００ａ等に設置される。例えば、図１（Ｃ）に示すように、保持部材５が看板固定部材６により壁部１０００ａに固定され、固定された保持部材５にＬＥＤディスプレイ装置２００を嵌め込むことにより、看板装置１が組み立てられる。
【００２０】
図２は、本考案の実施の形態１に係る保持部材の構成の例を示す平面図である。図２（Ａ）は、保持部材本体５ｂの構成の第１の例を示す平面図である。図２（Ｂ）は、保持部材本体５ｂの構成の第２の例を示す平面図である。
【００２１】
第１の例として、保持部材本体５ｂは、図２（Ａ）に示すように、例えば、保持部材本体５ｂのほぼ全面にわたり複数の貫通穴５ｃが形成されている。この構成によれば、貫通穴５ｃの部分の材料が削減されるので、保持部材５の重量が低減される。このため、看板装置１の設置に要する労力が軽減される。また、この構成によれば、保持部材本体５ｂの骨組みが残されるので、保持部材５の強度が保たれる。
【００２２】
また、第２の例として、保持部材本体５ｂは、図２（Ｂ）に示すように、開口部５ｄが形成された構成であってもよい。開口部５ｄは、例えば、平面視において保持部５ａから露出したＬＥＤディスプレイ装置２００と重なる領域に形成されている。この構成によれば、平面視においてＬＥＤディスプレイ装置２００と重なる領域では、背後の壁部１０００ａが透けて見える。これにより、壁部１０００ａの模様等と連携した情報提供が実現される。また、保持部材本体５ｂの構成が簡略化されるので、保持部材５の重量が大幅に削減される。このため、看板装置１の設置に要する労力が大幅に軽減される。
【００２３】
保持部材５は、加工が容易な材料で構成されていることが好ましい。保持部材５は、例えば、アルミニウムを主原料として構成されている。これにより、保持部材５は、設置箇所の状況に応じて任意の形状に加工され、設置箇所の自由度が向上する。
【００２４】
また、保持部材５は、別体で形成された複数のパーツを組み合わせて構成されてもよい。例えば、保持部材５は、平面視において右側のパーツと左側のパーツとを組み合わせて構成されてもよいし、上側のパーツと下側のパーツとを組み合わせて構成されてもよい。また、保持部材５は、例えば、平面視において右上、右下、左上、左下のそれぞれのパーツを組み合わせて構成されてもよい。また、保持部材５は、さまざまな形状に形成された複数のパーツを任意の個数組み合わせて構成されてもよい。これにより、パーツの重量が抑えられ、設置作業における労力が軽減される。また、任意の形状の看板装置１が構成される。
【００２５】
＜ＬＥＤディスプレイ装置の構成＞
［ＬＥＤ基板側の構成］
図３は、本考案の実施の形態１に係るＬＥＤディスプレイ装置の構成の一例を示す平面図である。図４は、本考案の実施の形態１に係るＬＥＤディスプレイ装置の表示部の構成の一例を拡大して示す平面図である。図５は、本考案の実施の形態１に係るＬＥＤディスプレイ装置の表示部の構成の一例を拡大して示す断面図である。図６は、本考案の実施の形態１に係るＬＥＤディスプレイ装置のコネクタの構成の一例を示す拡大図である。図６（Ａ）は、コネクタの平面図、図６（Ｂ）は、コネクタの断面図である。
【００２６】
図３では、後述するデータ線４０及び電源線５０等が省略されている。図４では、ＬＥＤディスプレイ装置２００の表示部２０の一部が拡大して示されている。また、図４では、第１の主面１０ａに設けられた電源線５０が実線で示され、第１の主面１０ａとは異なる第２の主面１０ｂに設けられたデータ線４０が点線で示されている。図５では、一部のＬＥＤ素子３０とその周囲の断面形状が模式的に示されている。図６では、一部のコネクタが拡大して示されている。
【００２７】
ＬＥＤディスプレイ装置２００は、例えば、図３に示すように、ＬＥＤ基板１０、コネクタ９０、制御基板１１０を備えている。ＬＥＤ基板１０には、図５に示すように、例えば、表示部２０、データ線４０、電源線５０、ＬＥＤ保護層６０、接着層７０、保護層８０、遮光層６５等が設けられている。
【００２８】
ＬＥＤ基板１０は、板状に形成された基板である。ＬＥＤ基板１０は、例えば、図３に示すような矩形状に形成されている。ただし、ＬＥＤ基板１０は、このような形状に限定されるものではなく、看板装置１の設置箇所の形状に応じた所定の形状（例えば、円形、楕円形等）に形成されてもよい。この場合、保持部材５も、例えば、ＬＥＤ基板１０の形状に合わせた形状に形成される。
【００２９】
ＬＥＤ基板１０は、例えば、可撓性を有する材料で構成されている。また、ＬＥＤ基板１０は、例えば、高耐熱性を有する材料で構成されている。本明細書において「高耐熱性を有する」とは、ＬＥＤ基板１０の温度が、例えば１６０℃程度に達しても、ＬＥＤ基板１０が変質せず、ＬＥＤディスプレイ装置２００が正常に動作することをいう。
【００３０】
また、ＬＥＤ基板１０は、例えば、透明な材料で構成されている。これにより、映像が表示される第１の主面１０ａとは反対側の第２の主面１０ｂ側から、ＬＥＤ基板１０を介して第１の主面１０ａ側が透けて見えるようになる。すなわち、ＬＥＤディスプレイ装置２００を介して、看板装置１の設置箇所が透けて見える。この場合、例えば、ＬＥＤディスプレイ装置２００が表示する映像と、設置箇所に描かれた文字、図形、模様、色彩等とを組み合わせた情報提供が実現される。
【００３１】
ＬＥＤ基板１０は、これらの特性を満たす、例えば、ＰＣＢ（Ｐｏｌｙ  Ｃｈｌｏｒｉｎａｔｅｄ  Ｂｉｐｈｅｎｙｌ：ポリ塩化ビフェニル)、ＰＥＴ（Ｐｏｌｙ  Ｅｔｈｙｌｅｎｅ  Ｔｅｒｅｐｈｔｈａｌａｔｅ：ポリエチレンテレフタラート）、ＰＩ（ｐｏｌｙｉｍｉｄｅ：ポリイミド）、ＰＥＮ（Ｐｏｌｙ  Ｅｔｈｙｌｅｎｅ  Ｎａｐｈｔｈａｌａｔｅ）等の樹脂、ガラス繊維及びエポキシ樹脂を組み合わせた素材（例えば、ＦＲ４（Ｆｌａｍｅ  Ｒｅｔａｒｄａｎｔ  Ｔｙｐｅ  ４））、シリコーン樹脂等の材料で構成されている。
【００３２】
なお、ＬＥＤ基板１０は、遮光性を有する材料で構成されてもよい。この場合にも、ＬＥＤ基板１０は、例えば、可撓性を有することが好ましい。
【００３３】
ＬＥＤ基板１０の第１の主面１０ａには、図５に示すように、表示部２０、電源線５０等が設けられている。表示部２０は、静止画像や動画像等の映像を表示する。表示部２０は、図３に示すように、Ｘ−Ｙ平面上にマトリクス状に配置された複数の画素２５で構成されている。
【００３４】
それぞれの画素２５は、ＬＥＤ素子３０を有している。例えば、それぞれの画素２５は、図４に示すように、異なる色を発する複数のＬＥＤ素子３０で構成されている。具体的には、画素２５は、図４に示すように、例えば、赤色光を発するＬＥＤ素子３０Ｒと、緑色光を発するＬＥＤ素子３０Ｇと、青色光を発するＬＥＤ素子３０Ｂと、ＬＥＤ素子３０Ｘとからなる。なお、ＬＥＤ素子３０Ｘは、これらの色とは異なる色の光を発するものであってもよいし、これらの色のいずれかと同一の色を発するものであってもよい。
【００３５】
それぞれの画素２５では、図４に示すように、例えば、ＬＥＤ素子３０Ｒ、３０Ｇが、Ｘ軸方向に沿って隣接して配置され、ＬＥＤ素子３０Ｘ、３０Ｂが、Ｘ軸方向に沿って隣接して配置されている。また、ＬＥＤ素子３０Ｒ、３０Ｘが、Ｙ軸方向に沿って隣接して配置され、ＬＥＤ素子３０Ｇ、３０Ｂが、Ｙ軸方向に沿って隣接して配置されている。なお、それぞれの画素２５におけるＬＥＤ素子３０の配置は、図４に示す場合に限定されるものではない。また、それぞれの画素２５に設けられるＬＥＤ素子３０の個数は、画素２５ごとに異なっていてもよい。
【００３６】
表示部２０は、例えば、施設名や店舗名等の情報を表示する。表示部２０は、これらの情報を、例えば、静止画像として表示してもよいし、動画像として表示してもよい。また、表示部２０は、これらの情報に関連する広告等の情報を表示してもよい。例えば、表示部２０は、施設名や店舗名等を静止画像として表示しつつ、広告等の情報を動画像として表示してもよい。
【００３７】
ＬＥＤ基板１０の第１の主面１０ａには、図５に示すように、ＬＥＤ素子３０ごとにリード線４５が設けられている。それぞれのＬＥＤ素子３０は、図５に示すように、ワイヤー４６、５６を介してリード線４５、電源線５０とそれぞれ接続されている。ワイヤー４６、５６は、例えば金を主原料として構成されている。
【００３８】
電源線５０は、図５に示すように、ＬＥＤ基板１０の第１の主面１０ａに形成されている。電源線５０は、図４に示すように、複数のＬＥＤ素子３０に対して共通に設けられている。電源線５０は、例えば、Ｘ軸方向に沿って延在し、Ｘ軸方向に配置された一行分のＬＥＤ素子３０に対して共通に設けられている。詳しくは、電源線５０は、図５に示すＬＥＤ素子３０Ｒ、３０Ｇが配置された行、ＬＥＤ素子３０Ｘ、３０Ｂが配置された行のそれぞれに対して設けられている。このように、図５の例では、１つの画素２５に対して２本の電源線５０が配置されている。また、電源線５０は、図６（Ａ）に示すように、一方の端部がコネクタ９０まで延在して配置されている。
【００３９】
ＬＥＤ基板１０には、図５に示すように、第１の主面１０ａと第２の主面１０ｂとを貫通する貫通孔１５が形成されている。貫通孔１５は、例えば、それぞれのＬＥＤ素子３０に対応して設けられている。例えば、貫通孔１５は、図５に示すように、対応するＬＥＤ素子３０と接続されたリード線４５の配線領域に開口部が設けられるように形成されている。
【００４０】
ＬＥＤ基板１０の第１の主面１０ａと反対側の第２の主面１０ｂには、図５に示すように、複数のデータ線４０が設けられている。データ線４０は、例えば、ＬＥＤ素子３０ごとに設けられている。すなわち、データ線４０は、少なくともＬＥＤ素子３０の個数と同数設けられている。
【００４１】
データ線４０は、図４に示すように、平面視でＬＥＤ素子３０と交差してＹ軸方向に延在して配置されている。例えば、ＬＥＤ素子３０Ｒと接続されるデータ線４０Ｒ（４０）、及びＬＥＤ素子３０Ｘと接続されるデータ線４０Ｘ（４０）は、図４に示すように、ＬＥＤ素子３０Ｒ、３０Ｘの列に沿って延在して配置されている。また、これらのデータ線４０と並行して、この列には、その他の画素のＬＥＤ素子３０と接続されるデータ線４０も配置されている。また、ＬＥＤ素子３０Ｇと接続されるデータ線４０Ｇ（４０）、及びＬＥＤ素子３０Ｂと接続されるデータ線４０Ｂ（４０）は、図４に示すように、ＬＥＤ素子３０Ｇ、３０Ｂの列に沿って延在して配置されている。また、これらのデータ線４０と並行して、この列には、その他の画素のＬＥＤ素子３０と接続されるデータ線４０も配置されている。
【００４２】
データ線４０は、貫通孔１５を介してＬＥＤ素子３０と接続されている。例えば、データ線４０は、図５に示すように、貫通孔１５、リード線４５、ワイヤー４６を介してＬＥＤ素子３０と接続されている。また、データ線４０は、図６（Ａ）に示すように、一方の端部がコネクタ９０まで延在して配置されている。
【００４３】
データ線４０、電源線５０、リード線４５、貫通孔１５の金属層（図示は省略）は、例えば、銅を主成分として構成されている。ここで、「銅を主成分」とは、これらの配線等が、ほとんど銅で構成されているが、不純物が混入されている場合も含まれることを意味する。
【００４４】
データ線４０（４０Ｒ、４０Ｇ、４０Ｂ、４０Ｘ）、及び電源線５０は、制御基板１１０に設けられた後述する制御部（コントローラ）１８０と接続されている。データ線４０（４０Ｒ、４０Ｇ、４０Ｂ、４０Ｘ）、及び電源線５０には、制御部１８０から所定の信号（例えば電位）が出力される。それぞれのＬＥＤ素子３０は、データ線４０（４０Ｒ、４０Ｇ、４０Ｂ、４０Ｘ）、電源線５０から供給される信号に基づいた所定の動作を行う。これにより、表示部２０は、静止画像や動画像の映像を表示する。
【００４５】
なお、これまでの説明では、データ線４０がＬＥＤ基板１０の第２の主面１０ｂ、電源線５０がＬＥＤ基板１０の第１の主面１０ａに設けられた場合について説明したが、このような構成に限定されるものではない。例えば、データ線４０が第１の主面１０ａに設けられてもよいし、電源線５０が第２の主面１０ｂに設けられてもよい。また、データ線４０及び電源線５０が、同一面に設けられてもよい。また、データ線４０及び電源線５０が、並行して設けられてもよい。また、データ線４０及び電源線５０は、平面視でＬＥＤ素子３０と重なっていなくてもよい。
【００４６】
ＬＥＤ基板１０の第１の主面１０ａには、図５に示すように、ＬＥＤ素子３０を覆うようにＬＥＤ保護層６０が設けられている。ＬＥＤ保護層６０は、例えば、ＬＥＤ素子３０及びワイヤー４６、５６等を覆うように設けられている。ＬＥＤ保護層６０は、透明性、絶縁性、延性を備えた材料（例えば、エポキシ樹脂、シリコーン樹脂等）で構成されている。
【００４７】
ＬＥＤ保護層６０は、例えば、画素２５ごとに設けられてもよいし、ＬＥＤ素子３０ごとに設けられてもよい。また、ＬＥＤ保護層６０は、複数の画素２５を覆うように設けられてもよい。また、ＬＥＤ保護層６０は、第１の主面１０ａのほぼ全面を覆うように設けられてもよい。
【００４８】
ＬＥＤ基板１０の第１の主面１０ａには、図５に示すように、遮光層６５が設けられている。遮光層６５は、図５に示すように、例えば、ＬＥＤ保護層６０に積層されている。遮光層６５は、図５に示すように、平面視においてＬＥＤ素子３０と重なる領域に開口部６５ａが形成されている。また、画素２５が複数のＬＥＤ素子３０を有する場合、遮光層６５は、例えば、平面視において画素２５と重なる領域に開口部６５ａが形成されてもよい。なお、遮光層６５は、ＬＥＤ基板１０の第２の主面１０ｂ側に設けられてもよい。この場合、遮光層６５は、例えば、後述する保護層８０等に積層される。
【００４９】
遮光層６５は、ＬＥＤ基板１０を介した透過光を遮断する。例えば、図５に示すように、遮光層６５がＬＥＤ基板１０の第１の主面１０ａに設けられた場合、遮光層６５は、ＬＥＤ基板１０の第１の主面１０ａ側から入射する光を遮断し、第２の主面１０ｂ側からＬＥＤ基板１０を透過した光を遮断する。また、遮光層６５がＬＥＤ基板１０の第２の主面１０ｂ側に設けられた場合、遮光層６５は、ＬＥＤ基板１０の第１の主面１０ａを透過した光を遮断し、第２の主面１０ｂ側から入射する光を遮断する。
【００５０】
遮光層６５は、例えば、柔軟性を有する材料で構成されている。例えば、遮光層６５は、シリコーンで構成されている。この場合、遮光層６５は、例えば、黒色等の色を有するシリコーンで構成されてもよいし、透明なシリコーンが黒色等の顔料で着色されて構成されてもよい。
【００５１】
また、遮光層６５の開口部６５ａには、図５に示すように、例えば、透明な開口部充填層６６が設けられてもよい。開口部充填層６６は、例えば、ＬＥＤ保護層６０や保護層８０と同一の材料で構成されてもよい。
【００５２】
ＬＥＤ基板１０の第２の主面１０ｂ側には、図５に示すように、保護層８０が設けられている。保護層８０は、データ線４０、ＬＥＤ基板１０を覆うように設けられ、これらを保護する。保護層８０は、例えば、透明性、延性を有する材料で構成されている。
【００５３】
ＬＥＤ基板１０の第２の主面１０ｂ側には、図５に示すように、接着層７０が設けられている。接着層７０は、図５に示すように、例えば、保護層８０上に積層されている。接着層７０は、例えば、透明性、延性を有する材料で構成されている。ＬＥＤ基板１０は、接着層７０を介して保持部材５の保持部材本体５ｂと接続される。これにより、ＬＥＤディスプレイ装置２００が、より確実に保持部材５に保持される。なお、遮光層６５が第２の主面１０ｂ側に設けられる場合、例えば、保護層８０に遮光層６５が積層され、遮光層６５に接着層７０が積層される。
【００５４】
なお、本実施の形態では、例えば、ＬＥＤ基板１０の第２の主面１０ｂ側に、データ線４０、電源線５０等の各種配線が配置された配線基板が積層されてもよい。このような構成であっても、データ線４０及び電源線５０の一方の端部がコネクタ９０に配置されていればよい。
【００５５】
ＬＥＤ基板１０には、コネクタ９０が設けられている。コネクタ９０は、図３、図６に示すように、例えば、ＬＥＤ基板１０の第１の主面１０ａ（第２の主面１０ｂ）に沿ってＬＥＤ基板１０から突出して設けられている。また、ＬＥＤ基板１０には、図３に示すように、複数のコネクタ９０が設けられてもよい。例えば、ＬＥＤ基板１０が、図３に示すように、平面視において矩形状に構成され、複数のコネクタ９０が、ＬＥＤ基板１０の一辺１０Ｌに沿って設けられている。それぞれのコネクタ９０は、制御基板１１０に設けられた後述するソケット１９０と対応するように配置されている。
【００５６】
コネクタ９０には、上述したように、データ線４０及び電源線５０の一方の端部が配置されている。これらデータ線４０及び電源線５０の端部は、図６（Ｂ）に示すように、コネクタ９０の第１の主面９０ａ、第２の主面９０ｂの両方に配置されてもよいし、いずれかの主面のみに設けられてもよい。
【００５７】
コネクタ９０は、例えば、ＬＥＤ基板１０と同じ材料で構成されている。また、コネクタ９０は、例えば、ＬＥＤ基板１０と別体で構成され、ＬＥＤ基板１０と接続されてもよいし、ＬＥＤ基板１０と一体で構成されてもよい。
【００５８】
以下では、ＬＥＤ基板１０に貫通孔１５、データ線４０、リード線４５、電源線５０を形成する工程の概略について説明する。まず、ＬＥＤ基板１０に対して、例えば、レーザーが照射されると、貫通孔１５が形成される。貫通孔１５は、例えば、ＬＥＤ素子３０が配置される位置と、リード線４５の位置とを考慮した所定の位置に形成される。
【００５９】
次に、例えば、メッキ工程により、例えば銅を主成分とする金属層が貫通孔１５の側壁に形成される。なお、メッキ工程により、貫通孔１５が金属層で埋められても構わない。
【００６０】
次に、ＬＥＤ基板１０の第１の主面１０ａに、リード線４５及び電源線５０が形成される。例えば、スパッタリング等の成膜工程により、例えば銅を主成分とする金属層が形成される。そして、あらかじめ規定された配線パターンに基づいて金属層がパターニングされると、リード線４５及び電源線５０が形成される。
【００６１】
次に、第２の主面１０ｂに対して、データ線４０が形成される。データ線４０は、第１の主面１０ａにリード線４５及び電源線５０が形成されたときと同様の工程により形成されるので、詳細な説明は省略する。なお、第２の主面１０ｂにデータ線４０が形成された後、第１の主面１０ａにリード線４５及び電源線５０が形成されてもよい。また、これらの工程により、ＬＥＤ基板１０に対するデータ線４０等の形成と、コネクタ９０に対するデータ線４０及び電源線５０の形成と、が同時に行われてもよい。
【００６２】
［制御基板側の構成］
図７は、本考案の実施の形態１に係るＬＥＤディスプレイ装置の制御基板の構成の一例を示す図である。図７（Ａ）は平面図であり、図７（Ｂ）は断面図である。なお、図７は、制御基板１１０の一部を拡大して示している。制御基板１１０には、図３、図７（Ａ）、（Ｂ）に示すように、例えば、ソケット１９０、制御部１８０等が設けられている。また、制御基板１１０には、図７（Ａ）、（Ｂ）に示すように、配線パターン１９３が設けられている。
【００６３】
制御基板１１０は、例えば、板状に形成された基板である。制御基板１１０は、例えば、ＬＥＤ基板１０に設けられたコネクタ９０の位置や、ＬＥＤ基板１０の形状等に基づいて所定の形状に構成される。例えば、制御基板１１０は、図３に示すように、ＬＥＤ基板１０の一辺１０Ｌに沿って延在して設けられている。制御基板１１０は、ＬＥＤ基板１０側の一辺がＬＥＤ基板１０に沿うように形成されていれば、任意の形状に構成されてもよい。また、制御基板１１０は、ＬＥＤ基板１０と同じ材料で構成されてもよい。
【００６４】
制御基板１１０には、図３、図７（Ａ）、（Ｂ）に示すように、ソケット接続部１９０Ａが設けられている。ソケット接続部１９０Ａは、制御基板１１０と一体で構成されてもよいし、制御基板１１０と別体で構成されてもよい。
【００６５】
それぞれのソケット接続部１９０Ａには、図３、図７（Ａ）、（Ｂ）に示すように、ソケット１９０がそれぞれ接続されている。ソケット１９０は、図７（Ｂ）に示すように、制御基板１１０の第１の主面１１０ａに設けられている。それぞれのソケット１９０は、図３に示すように、それぞれのコネクタ９０と対応して設けられている。
【００６６】
それぞれのソケット１９０には、図７（Ｂ）に示すように、コネクタ差し込み部１９１が設けられている。コネクタ差し込み部１９１の第１のコネクタ接触面１９１ａ及び第１のコネクタ接触面１９１ａと対向する第２のコネクタ接触面１９１ｂには、コネクタ９０に配置されたデータ線４０及び電源線５０と対応させた所定の配線パターン１９２ａ、１９２ｂがそれぞれ形成されている。
【００６７】
コネクタ９０がソケット１９０のコネクタ差し込み部１９１に挿入されると、コネクタ９０のデータ線４０及び電源線５０は、配線パターン１９２ａ、１９２ｂの各配線とそれぞれ接続される。また、コネクタ９０及びソケット１９０は、互いに着脱自在に構成されており、ＬＥＤディスプレイ装置２００では、ＬＥＤ基板１０及び制御基板１１０の組み合わせが任意に変更されてもよい。
【００６８】
制御基板１１０の第１の主面１１０ａには、図７（Ｂ）に示すように、配線パターン１９３が形成されている。配線パターン１９３は、例えば、ソケット１９０の配線パターン１９２ａ、１９２ｂの各配線と対応するように形成されている。なお、配線パターン１９３は、制御基板１１０の第２の主面１１０ｂに形成されてもよい。なお、配線パターン１９２ａ、１９２ｂ、１９３は、例えば、銅を主成分して構成されている。ここで、「銅を主成分」とは、これらの配線等が、ほとんど銅で構成されているが、不純物が混入されている場合も含まれることを意味する。
【００６９】
制御基板１１０の第１の主面１１０ａには、図７（Ｂ）に示すように、制御部１８０が設けられている。制御部１８０は、例えば、ドライブＩＣ（Ｉｎｔｅｇｒａｔｅｄ  Ｃｉｒｃｕｉｔ）等の制御装置等で構成されている。制御部１８０は、配線パターン１９３の各配線と接続されている。すなわち、制御部１８０は、配線パターン１９３、１９２ａ、１９２ｂを介して、コネクタ９０のデータ線４０及び電源線５０と接続されている。制御部１８０は、ソケット１９０及びコネクタ９０を介してデータ線４０及び電源線５０に所定の信号を出力する。
【００７０】
制御部１８０は、例えば、表面実装技術（ＳＭＴ：Ｓｕｒｆａｃｅ  Ｍｏｕｎｔ  Ｔｅｃｈｎｏｌｏｇｙ）を用いて制御基板１１０に実装される。また、制御部１８０は、図３に示すように、例えば、ソケット１９０（コネクタ９０）ごとに設けられてもよいし、複数のソケット１９０（コネクタ９０）で共通に設けられてもよい。また、制御部１８０は、図３、図７（Ａ）に示すようにそれぞれのソケット１９０（コネクタ９０）に対して複数個設けられてもよい。また、制御部１８０は、例えば、制御基板１１０の第２の主面１１０ｂに設けられてもよいし、第１の主面１１０ａ及び第２の主面１１０ｂの両面に設けられてもよい。
【００７１】
制御基板１１０の第１の主面１１０ａには、図７（Ｂ）に示すように、保護層１８５が設けられている。保護層１８５は、配線パターン１９３を覆うように設けられている。なお、制御基板１１０の第２の主面１１０ｂに配線パターンが形成された場合には、第２の主面１１０ｂの配線パターンを覆う保護層が別途設けられる。保護層１８５は、上述した保護層８０と同様であるので、ここでは詳細な説明を省略する。
【００７２】
制御基板１１０は、例えば、図示しない周辺装置と接続され、表示部２０は、周辺装置から入力される映像データに基づいた映像を表示してもよい。また、制御基板１１０は、例えば、図示しないデータ格納部を備え、周辺装置から入力された映像データを格納してもよい。また、制御基板１１０は、例えば、保持部材本体５ｂと保持部５ａとの間の空間等に配置されていることが好ましい。
【００７３】
上述の説明では、ＬＥＤディスプレイ装置２００が、ＬＥＤ基板１０と制御基板１１０とが別体で構成された場合について説明したが、このような構成に限定されるものではない。ＬＥＤディスプレイ装置２００は、例えば、ＬＥＤ基板１０に全ての構成要素が設けられた構成であってもよいし、複数の制御基板１１０が設けられてもよい。この場合にも、制御部１８０等の構成要素は、例えば、保持部材本体５ｂと保持部５ａとの間の空間に配置されていることが好ましい。
【００７４】
＜看板装置の使用方法＞
次に、看板装置１の使用方法の例について説明する。図８は、本考案の実施の形態１に係る看板装置の使用方法の例を示す図である。図８（Ａ）は、看板装置１を単独で使用する場合の例を示し、図８（Ｂ）は、その他の看板と連携して看板装置１を使用する場合を示している。
【００７５】
第１の例では、図８（Ａ）に示すように、建造物１０００の壁部１０００ａに、看板装置１が単独で設けられている。この場合、看板装置１は、施設名や店舗名等（例えば、「ＡＢＣＤＥＦ」）の静止画像や、動画像を表示する。また、看板装置１は、例えば、施設名や店舗名等に関連する各種情報等を表示してもよい。また、看板装置１は、壁部１０００ａに描かれた文字、図形、模様、色彩等と連携した映像を表示してもよい。
【００７６】
第２の例では、図８（Ｂ）に示すように、施設名や店舗名等を表示する文字看板１００１の近傍に看板装置１が設けられている。この場合、看板装置１は、施設名や店舗名等に関連する映像（例えば、「ａｂｃｄｅｆ」）を表示してもよいし、これらの看板と連携させた映像を表示してもよい。また、看板装置１は、壁部１０００ａに描かれた文字、図形、模様、色彩等と連携した映像を表示してもよい。また、看板装置１は、例えば、文字看板１００１とは関連がないその他の映像を表示してもよい。
【００７７】
＜本実施の形態による効果＞
本実施の形態によれば、看板装置１は、ＬＥＤディスプレイ装置２００が保持部材５により保持された構成となっている。この構成によれば、看板装置１が軽量化されるので、設置作業の労力が軽減される。また、ＬＥＤディスプレイ装置２００では、表示される映像が自在に切り替えられるので、さまざまな情報を表示することが可能となる。
【００７８】
また、本実施の形態によれば、ＬＥＤ基板１０が透明な基板で構成されている。この構成によれば、ＬＥＤディスプレイ装置２００を介して、看板装置１の設置箇所が透けて見えるので、表示部２０に表示された映像と、設置箇所に描かれた文字、図形、模様、色彩等とを組み合わせた情報が提供される。また、設置箇所にこれらの情報が描かれていない場合、設置箇所の壁面等がそのまま透けて見えるので、看板装置１が設置箇所と一体化される。
【００７９】
また、本実施の形態によれば、ＬＥＤディスプレイ装置２００には、平面視においてＬＥＤ素子３０と重なる領域に開口部６５ａが形成された遮光層６５が設けられている。この構成によれば、看板装置１の設置箇所が透けて見えなくなるので、表示部２０に表示された映像の視認性が向上する。
【００８０】
また、本実施の形態によれば、ＬＥＤ基板１０が可撓性を有する材料で構成され、遮光層６５が柔軟性を有する材料で構成されている。この構成によれば、ＬＥＤ基板１０を自由に変形させることができるので、設置箇所の状態に合わせて看板装置１が設置される。これにより、看板装置１の設置箇所の選択肢が拡張される。
【００８１】
また、本実施の形態によれば、遮光層６５がシリコーンを主原料として構成されている。この構成によれば、遮光層６５の材料を安価に入手できるので、製造コストが低減される。
【００８２】
また、本実施の形態によれば、遮光層６５の開口部６５ａには、透明な開口部充填層６６が設けられている。この構成によれば、開口部６５ａにおける遮光層６５の凹みが解消されるので、開口部６５ａから遮光層６５が剥がれにくくなる。これにより、看板装置１の信頼性が向上する。
【００８３】
また、本実施の形態によれば、保持部材５は、ＬＥＤディスプレイ装置２００周縁部を取り囲むように構成された保持部５ａを備えている。この構成によれば、ＬＥＤディスプレイ装置２００が周縁部で保持されるので、表示部２０の面積が拡張される。これにより、ＬＥＤ基板１０の面積が有効に利用される。
【００８４】
また、本実施の形態によれば、保持部材５は、加工が容易な材料で構成されている。この構成によれば、保持部材５が任意の形状に形成されるので、設置箇所の状態に合わせて看板装置１が設置される。これにより、看板装置１の設置箇所の選択肢が拡張される。
【００８５】
また、本実施の形態によれば、保持部材５は、アルミニウムを主原料として構成されている。この構成によれば、保持部材５の材料を安価に入手できるので、製造コストが低減される。
【００８６】
また、本実施の形態によれば、ＬＥＤ基板１０の第１の主面１０ａ側には、ＬＥＤ素子３０、ワイヤー４６、５６を覆うＬＥＤ保護層６０が設けられている。この構成によれば、ＬＥＤ素子３０、ワイヤー４６、５６に対する衝撃が緩和されるので、断線の発生が抑えられ、信頼性を向上させた看板装置１が提供される。
【００８７】
また、本実施の形態によれば、ＬＥＤディスプレイ装置２００は、ＬＥＤ基板１０と制御基板１１０とを備え、制御基板１１０に設けられた制御部１８０が、ソケット１９０、コネクタ９０を介してＬＥＤ基板１０に設けられたデータ線４０及び電源線５０に所定の信号を出力する。
【００８８】
この構成によれば、制御部１８０等の構成要素が、制御基板１１０に設けられることとなるので、ＬＥＤ基板１０の構成が簡略化される。これにより、ＬＥＤ基板１０側のＬＥＤディスプレイ装置２００の厚みが小さくなり、ＬＥＤディスプレイ装置２００の取扱い、設置作業が容易になる。また、これにより、看板装置２の情報表示面２ａに表示された情報の視認性が向上する。
【００８９】
また、この構成によれば、ＬＥＤディスプレイ装置２００は、別体で構成されたＬＥＤ基板１０と、制御基板１１０とが組み合わされているので、不具合のある基板を交換することが可能となる。これにより、製造時におけるＬＥＤディスプレイ装置２００の不良率が低下し、製造コストが低減される。また、これにより、使用中に不具合が発生しても、新たな部品に交換すればよいので、製品管理が容易なＬＥＤディスプレイ装置２００が提供される。また、基板ごとの設計が容易となり、それぞれの基板の製造工程が短縮されるので、製造時における基板の負荷が軽減され、不良率がより低減される。
【００９０】
また、本実施の形態によれば、コネクタ９０は、ＬＥＤ基板１０の第１の主面１０ａに沿ってＬＥＤ基板１０から突出するように設けられている。この構成によれば、平面視で制御基板１１０と表示部２０とが重ならないので、映像の視認性を損なわずに、ＬＥＤ基板１０と制御基板１１０とが接続されたＬＥＤディスプレイ装置２００が提供される。
【００９１】
また、本実施の形態によれば、ＬＥＤ基板１０は、複数のコネクタ９０を有し、制御基板１１０は、複数のコネクタ９０のそれぞれと対応する複数のソケット１９０を備えている。
【００９２】
この構成によれば、表示部２０におけるＬＥＤ素子３０（画素２５）の位置に応じて、データ線４０及び電源線５０をそれぞれのコネクタ９０へ振り分けることができるので、配線の取り回しが容易なＬＥＤディスプレイ装置２００が提供される。また、この構成によれば、ＬＥＤ基板１０が複数のコネクタ９０で制御基板１１０と接続されるので、それぞれのコネクタ９０に掛かる物理的な負荷が軽減される。これにより、断線等の不具合の発生が抑えられ、信頼性を向上させたＬＥＤディスプレイ装置２００が提供される。
【００９３】
また、本実施の形態によれば、ＬＥＤ基板１０は、平面視において矩形状に構成され、複数のコネクタ９０がＬＥＤ基板１０の一辺１０Ｌに沿って設けられている。また、制御基板１１０は、ＬＥＤ基板１０の一辺１０Ｌに沿って延在し、複数のコネクタ９０のそれぞれと対応する複数のソケット１９０を備えている。
【００９４】
この構成によれば、ＬＥＤ基板１０と制御基板１１０との間隔が一定に保たれるので、それぞれのコネクタ９０に掛かる物理的な負荷が均等になる。これにより、断線等の不具合の発生がより抑えられ、信頼性をより向上させたＬＥＤディスプレイ装置２００が提供される。また、これにより、取扱いが容易となる。
【００９５】
また、本実施の形態によれば、コネクタ９０はＬＥＤ基板１０と一体で構成されている。この構成によれば、ＬＥＤ基板１０とコネクタ９０とを接続する必要がなくなるので、ＬＥＤ基板１０とコネクタ９０との境界部分の強度が向上する。これにより、信頼性を向上させたＬＥＤディスプレイ装置２００が提供される。
【００９６】
また、本実施の形態によれば、データ線４０、リード線４５、電源線５０、配線パターン１９２ａ、１９２ｂ、１９３は、銅を主成分として構成されている。この構成によれば、これらの配線に安価な材料が利用されるので、製造コストが低減される。
【００９７】
また、本実施の形態によれば、ＬＥＤ基板１０は、高耐熱性を有する材質で構成されている。この構成によれば、ＬＥＤ素子３０が高温状態となった場合でもＬＥＤ基板１０が変質しないので、動作性能を向上させたＬＥＤディスプレイ装置１００が提供される。
【００９８】
また、本実施の形態によれば、それぞれの画素２５は、異なる色を発する複数のＬＥＤ素子３０で構成されている。この構成によれば、画素２５ごとにさまざまな色を表示させることが可能となるので、映像の品質が向上する。
【００９９】
（実施の形態２）
次に、本考案の実施の形態２について説明する。なお、以下では、前述の実施の形態と重複する箇所については、原則としてその説明を省略する。
【０１００】
図９は、本考案の実施の形態２に係る看板装置の構成の一例を示す図である。看板装置４０１は、図９に示すように、データ送受信部４０９を備えている。なお、図９では、データ送受信部４０９が保持部材５の外側に示されているが、データ送受信部４０９の設置箇所は、これ以外の場所であっても構わない。データ送受信部４０９は、例えば、保持部材５と保持部５ａとの間の空間に設置されてよいし、ＬＥＤディスプレイ装置２００の制御基板１１０やＬＥＤ基板１０に設置されてもよい。
【０１０１】
データ送受信部４０９は、ＬＥＤディスプレイ装置２００（例えば、制御部１８０等）と接続されている。データ送受信部４０９は、図９に示すように、例えば、無線ルータ２０１０を介してネットワーク２０００と接続されている。データ送受信部４０９は、ネットワーク２０００を介して、例えば、周辺機器等と接続され、周辺機器との間で映像データ等の送受信を行う。また、データ送受信部４０９は、入力された映像データを制御部１８０等へ出力する。また、制御部１８０は、入力された映像データに基づいた所定の信号を出力し、表示部２０に所定の映像を表示させる。
【０１０２】
本実施の形態によれば、看板装置４０１は、ネットワーク２０００と接続されたデータ送受信部４０９を備えている。この構成によれば、看板装置４０１がネットワーク２０００と接続されるので、映像データの送受信が容易に行われる。これにより、ＬＥＤディスプレイ装置２００に表示される映像が自在に切り替えられ、さまざまな情報が提供される。
【０１０３】
（実施の形態３）
次に、本考案の実施の形態３について説明する。なお、以下では、前述の実施の形態と重複する箇所については、原則としてその説明を省略する。本実施の形態では、複数の看板装置１が設置されている場合について説明する。
【０１０４】
図１０は、本考案の実施の形態３に係る複数の看板装置の設置方法の例を示す図である。図１０（Ａ）は、２つの看板装置１の設置例が示されている。図１０（Ｂ）は、４つの看板装置１の設置例が示されている。このように、本実施の形態では、複数の看板装置１が、例えば、建造物１０００の壁部１０００ａ等に設置されている。
【０１０５】
複数の看板装置１は、図１０（Ａ）、（Ｂ）に示すように、例えば、それぞれの表示部２０が隣接して配置されている。例えば、図１０（Ａ）では、２つの看板装置１は、それぞれの制御基板１１０が同じ方向（上側）に配置されるように設置されている。また、例えば、図１０（Ｂ）では、左側の２つの看板装置１は、制御基板１１０が同じ方向（左側）に配置されるように設置され、右側の２つの看板装置１は、制御基板１１０が同じ方向（右側）に配置されるように設置されている。
【０１０６】
複数の看板装置１がこのように配置されることにより、隣接する複数の表示部２０が最短距離で配置され、より大きいサイズの表示部２０Ａ、２０Ｂが構成される。看板装置１の個数は、壁部１０００ａ等の設置箇所の状況や、表示させる映像の内容等に応じて適宜決定される。また、それぞれの看板装置１の形状は、同一であってもよいし、互いに異なっていてもよい。
【０１０７】
制御部１８０は、例えば、表示部２０Ａ、２０Ｂを１つの表示部として映像を表示させてもよい。例えば、複数の制御部１８０が設けられている場合、これらの制御部１８０が互いに協調し、表示部２０Ａ、２０Ｂに所定の映像を表示させる。
【０１０８】
なお、複数の看板装置１が互いに離れた位置に設置されても構わない。このとき、複数の看板装置１は、例えば、壁部１０００ａ等に描かれた文字、図形、模様、色彩等と組み合わせた映像を表示してもよい。
【０１０９】
本実施の形態によれば、壁部１０００ａ等の設置箇所に複数の看板装置１が設けられている。この構成によれば、ＬＥＤディスプレイ装置２００の枚数を増やすことができるので、設置箇所の面積に応じた所望の大きさの看板装置が構成される。
【０１１０】
また、本実施の形態によれば、複数の看板装置１は、それぞれの表示部２０が隣接するように配置されている。この構成によれば、複数の表示部２０が組み合わされた、より大きな表示部２０Ａ、２０Ｂが構成され、より大きな映像が表示される。
【０１１１】
以上、本考案について説明したが、本考案は、上述の実施の形態に限定されるものではなく、例えば、これらの実施の形態が組み合わされてもよい。
【符号の説明】
【０１１２】
１…看板装置、５…保持部材、５ａ…保持部、１０…ＬＥＤ基板、２０…表示部、３０…ＬＥＤ素子、４０…データ線、５０…電源線、９０…コネクタ、１１０…制御基板、１９０…ソケット、２００…ＬＥＤディスプレイ装置、４０１…看板装置、４０９…データ送受信部、２０００…ネットワーク
【図１】
0003210219.tif 000003
【図２】
0003210219.tif 000004
【図３】
0003210219.tif 000005
【図４】
0003210219.tif 000006
【図５】
0003210219.tif 000007
【図６】
0003210219.tif 000008
【図７】
0003210219.tif 000009
【図８】
0003210219.tif 000010
【図９】
0003210219.tif 000011
【図１０】
0003210219.tif 000012